(57)【特許請求の範囲】
【請求項１】
靴下を着用するための補助具であって、
ベースと、
前記ベースに接合され該ベースから上向きに延び、中央シャフトの各側に配置されたグリップを備えてなるハンドルと、
少なくとも１つの拡張器と、
所望の際に、拡張器を上下に動かすように構成され、ハンドルの頂部にて又は頂部に近接して作動するように構成された移動手段とを備え、使用の際に使用者は、
起立位置からアクセス可能なように、前記移動手段を作動させて、前記拡張器を上向きに移動させ、
前記拡張器が靴下を開き状態に保持するように、靴下を拡張器に装着し、
前記移動手段を作動させて、拡張器と靴下をグラウンドレベル又は該グラウンドレベルに接近するまで下向きに動かし、
片足で起立している間、ハンドルを握って可成りの安定性を受け、
拡張器によって靴下が開き状態に保持されている間に、使用者の他方の足の少なくとも一部を靴下内に操作することが出来るように形成されている、靴下を着用するための補助具。
【請求項２】
前記ハンドルは長さ調整が可能である、請求項１に記載の靴下を着用するための補助具。
【請求項３】
前記拡張器は大凡凹状の靴下受け入れ部を備える、請求項１又は２に記載の靴下を着用するための補助具。
【請求項４】
第１の拡張器から離れた第２の拡張器を有するが、該第２の拡張器は離れてなければ第１の拡張器と大凡同じ位置に配置される、請求項１乃至３の何れかに記載の靴下を着用するための補助具。
【請求項５】
使用位置にて垂直であるときに、ハンドルはベースに対して７０°-９０°の角度であるように、ハンドルが配置される、請求項１乃至４の何れかに記載の靴下を着用するための補助具。
【請求項６】
前記ハンドルは、大凡Ｔ字形である、請求項１乃至５の何れかに記載の靴下を着用するための補助具。
【請求項７】
クランク機構を備え、該クランク機構はケーブルを組み込んで、該クランク機構の巻き取り器がどちらの方向に回転するかによって、拡張器を上下に動かす、請求項１乃至６の何れかに記載の靴下を着用するための補助具。
【請求項８】
前記ケーブルは、ハンドル内に収納され、ハンドル内を動く、請求項７に記載の靴下を着用するための補助具。
【請求項９】
靴下を着用するための補助具であって、
ベースと、
前記ベースに接合され該ベースから７０°-９０°の角度で上向きに延び、中央シャフトの各側に配置されたグリップを備えてなるハンドルと、
前記ハンドルの両側に配備された一対の凹状の拡張器と、
所望の際に、ケーブルを介して、拡張器を上下移動させるように構成され、ハンドルの頂部にて又は頂部に近接して作動するように構成されたクランクハンドル機構とを備え、使用の際に使用者は、
起立位置からアクセス可能なように、クランクハンドル機構を操作して、一方又は両方の拡張器を上向きに動かし、
前記拡張器が靴下を開き状態に保持するように、靴下を拡張器に装着し、
前記クランクハンドル機構を作動させて、拡張器と靴下をグラウンドレベル又は該グラウンドレベルに接近するまで下向きに動かし、
片足で起立している間、ハンドルを握って可成りの安定性を受け、
靴下を有する拡張器によって靴下が開き状態に保持されている間に、使用者の他方の足の少なくとも一部を靴下内に操作することが出来るように形成されている、靴下を着用するための補助具。
【発明の詳細な説明】
【技術分野】
【０００１】
本発明は、靴下を着用するための補助具に関する。
【背景技術】
【０００２】
例えば高齢者又は体の弱い人の中には、柔軟さが乏しく、その結果、腰を曲げ靴下を着用するのが困難である人がいる。
本発明の目的は、この問題を解決する少なくとも或る方法を行い、又は少なくとも有用な選択を公衆に提供することである。
【発明の概要】
【０００３】
本発明の一態様に従って、靴下を着用するための補助具が付与され、該補助具は、
ベースと、
前記ベースに接合され該ベースから上向きに延びたハンドルと、
少なくとも１つの拡張器と、
所望の際に、拡張器を上下に動かすように構成された移動手段(例えば、クランクハンドル機構)とを備え、使用の際に使用者は、
起立位置からアクセス可能なように、前記移動手段を作動させて、前記拡張器を上向きに移動させ、
前記拡張器が靴下を開き状態に保持するように、靴下を拡張器に装着し、
前記移動手段を作動させて、拡張器と靴下をグラウンドレベル又は該グラウンドレベルに接近するまで下向きに動かし、
片足で起立している間、ハンドルを握って可成りの安定性を受け、
拡張器によって靴下が開き状態に保持されている間に、使用者の他方の足の少なくとも一部を靴下内に操作する(maneuver)ことが出来るように形成されている。
【０００４】
付随的に、ハンドルは調整可能な長さである。
付随的に、拡張器は大凡凹状の靴下受け入れ部を備える。
付随的に、補助具は、第１の前記の拡張器から離れた第２の拡張器を有するが、該第２の拡張器は離れてなければ第１の拡張器と大凡同じ位置に配置される。
【０００５】
付随的に、補助具が使用位置にて垂直であるときに、ハンドルはベースに対して７０°-９０°の角度であるように、ハンドルは配置される。
付随的に、ハンドルは大凡Ｔ字形である。
付随的に、補助具はクランク機構を備え、該クランク機構はケーブルを組み込んで、該クランク機構の巻き取り機がどちらの方向に回転するかによって、拡張器を上下に動かす。
付随的に、ケーブルはハンドル内に収容されて、ハンドル内を動く。
【図面の簡単な説明】
【０００６】
本発明の幾つかの好ましい実施形態は、例によって及び添付の図面を参照して記載される。
【図１】靴下を着用する補助具の等角図である。
【図２】補助具の上部の詳細を示す等角図である。
【発明を実施するための形態】
【０００７】
示すように、靴下を着用する補助具は、板状のベース１と、ベースに取り付けられ角度を以て上向きに延びる略Ｔ字形のハンドル２と、クランク機構３を有する。ハンドル２は使用位置にて垂直に直立した状態からロックされず、格納と輸送の利便性のために、ピボット機構４の回りをベースに対して平坦に横たわるまで揺動する。ハンドル２は、中央シャフト６の各側に配置された２つのハンドグリップ５を有する。クランク機構３は、シャフト６内に配置されたワイヤ(図示せず)によって、一対の略凹状の拡張器７に作動可能に接続される。拡張器７は夫々ハンドル２の左右に配備され、該ハンドルの片側の線形開口８に沿って上下にスライドする。
【０００８】
靴下を着用する補助具の使用時には、クランク機構３の巻き取り機９が手動で回転して、ワイヤによって拡張器７をハンドル２の頂部の近傍位置に移動させる(拡張器が既にそこにある場合を除く)。特に、巻き取り機９はハンドグリップ５に対して直角に延びる軸の回りを回転する。靴下(図示せず)の開口部は各拡張器７の回りに置かれて、靴下の開き状態を保持する。巻き取り機９は、拡張器７と靴下が大凡グラウンドレベル、丁度ベース１上になるまで、逆回転される。ユーザはベース１上又はベースの直ぐ隣に立ち、足を一方又は他方の靴下内に操作(maneuver)している間は、バランスを保つべくハンドグリップ５を握る。これは、片足を僅かに上げて靴下内に動かす間にユーザが片足で立ち、足を下に押して靴下を足の回り上に止め、他方の足と他の靴下についてこれを繰り返す。
【０００９】
本発明の幾つかの実施形態において、１つだけの拡張器７がある。しかし、拡張器は２つあるのが好ましい。幾つかの実施形態において、ハンドル２、クランク機構３及び拡張器７をベース１の取付け部１１からをトータルで取り外すことにより、補助具は容易に分解されて、拡張器７はハンドル２から分離される。しかし、これは重要ではなく、幾つかの実施形態にて部品又はこれらの幾つかは分離不可能である。
【００１０】
本発明の幾つかの実施形態において、ハンドグリップ５は長さ、角度及び/又は高さが調整可能である。ハンドグリップは９０°に亘って移動し、その角度の間で１以上の位置に設定され、格納と輸送の容易さ故に、ハンドル２の主直立部に平行に横たわることが出来る。
【００１１】
本発明の更なる実施形態にて、ベース１には車輪(図示せず)が取り付けられ、例えば１人又は１つの場所からの輸送の容易さを促進する。
本発明の幾つかの好ましい形式が例によって記載されたが、以下の特許請求の範囲の範囲から離れることなく、修正及び改善が可能であることは理解されるべきである。
【図１】
0006605572.tif 000002
【図２】
0006605572.tif 000003